(57)【要約】      （修正有）【課題】部屋の中を見られることなく、外部の光を家屋の中に取り入れることができるプライバシーの保護を向上させたカーテンレール又は取付式カーテンレールおよびこれらに用いられるカーテンを提供する。【解決手段】建物の開口部５０の上部近傍にほぼ水平に位置するように固定されるレール本体２と、レール本体２に移動自在に嵌装されると共に、カーテン６０の上部を支持する複数のカーテン支持手段と、を有するカーテンレール１であって、レール本体２は、開口部５０から離間する方向へ曲げられた離間部２１が形成される。【選択図】図５
0003144865.tif 000002
【実用新案登録請求の範囲】
【請求項１】
建物の開口部の上部近傍にほぼ水平に位置するように固定されるレール本体と、前記レール本体に移動自在に嵌装されると共に、カーテンの上部を支持する複数のカーテン支持手段と、を有するカーテンレールであって、
前記レール本体は、前記開口部から離間する方向へ曲げられた離間部を有することを特徴とするカーテンレール。
【請求項２】
前記開口部に対する前記離間部の傾斜は、前記離間部のうち前記開口部から最も遠い部分を境界として、いずれか一方の傾斜が他方の傾斜より大きく形成されていることを特徴とする請求項１記載のカーテンレール。
【請求項３】
請求項１又は２記載のカーテンレールに取り付けられるカーテンであって、
光を反射する第１の反射材を前記開口部側の面に有することを特徴とするカーテンとカーテンレールの組み合わせ。
【請求項４】
請求項１又は２記載のカーテンレールに取り付けられるカーテンであって、
光を反射する第２の反射材を前記開口部とは反対側の面に有することを特徴とするカーテンとカーテンレールの組み合わせ。
【請求項５】
前記第１の反射材または第２の反射材は、反射した光が模様を表すように形成されていることを特徴とする請求項３又は４記載のカーテンとカーテンレールの組み合わせ。
【請求項６】
建物の開口部分の上部近傍にほぼ水平に位置するように固定されるカーテンレールに固定可能な取付式カーテンレールであって、
前記開口部から離間する方向へ曲げられた離間部を有する取付式レール本体と、
前記取付式レール本体を前記カーテンレールに固定する固定手段と、
前記取付レール本体に移動自在に嵌装されると共に、カーテンの上部を支持する複数のカーテン支持手段と、
を具備することを特徴とする取付式カーテンレール。
【請求項７】
前記離間部は、前記取付式レール本体の少なくとも一端側近傍に形成されることを特徴とする請求項６記載の取付式カーテンレール。
【請求項８】
前記開口部に対する前記離間部の傾斜は、前記離間部のうち前記開口部から最も遠い部分を境界として、いずれか一方の傾斜が他方の傾斜より大きく形成されていることを特徴とする請求項６又は７記載の取付式カーテンレール。
【請求項９】
請求項６ないし８のいずれかに記載の取付式カーテンレールに取り付けられるカーテンであって、
光を反射する第１の反射材を前記開口部側の面に有することを特徴とするカーテンと取付式カーテンレールの組み合わせ。
【請求項１０】
請求項６ないし８のいずれかに記載の取付式カーテンレールに取り付けられるカーテンであって、
光を反射する第２の反射材を前記開口部とは反対側の面に有することを特徴とするカーテンと取付式カーテンレールの組み合わせ。
【請求項１１】
前記第１の反射材または第２の反射材は、反射した光が模様を表すように形成されていることを特徴とする請求項９又は１０記載のカーテンと取付式カーテンレールの組み合わせ。
【請求項１２】
ハンガー等を引っ掛けて吊持可能な吊持手段を具備することを特徴とする請求項１又は２記載のカーテンレール。
【請求項１３】
ハンガー等を引っ掛けて吊持可能な吊持手段を具備することを特徴とする請求項６ないし８のいずれかに記載の取付式カーテンレール。
【考案の詳細な説明】
【技術分野】
【０００１】
この考案は、採光性を改良したカーテンレール、取付式カーテンレールおよびこれらに用いられるカーテンに関するものである。
【背景技術】
【０００２】
従来、家屋等の中と外とを繋ぐ窓や出入り口等の開口部５０には、プライバシーの保護や、遮光等を考慮して、カーテン６０を取り付けるのが通常である（図１参照）。このカーテン６０は、図２に示すように、家屋の開口部５０の上部近傍にほぼ水平に位置するように固定される直線状のレール本体７１と、レール本体７１に移動自在に嵌装されると共に、カーテン６０の上部を支持する複数のカーテン支持手段と、を有するカーテンレール７０によって、開閉可能に取り付けられる（例えば、特許文献１）。
【０００３】
【特許文献１】特開平６−１４１９６５（図１、図３）
【考案の開示】
【考案が解決しようとする課題】
【０００４】
しかしながら、従来のカーテンレール７０は、家屋の開口部５０に対し、水平かつ直線状に形成されるため、外部から光を少しだけ家屋の中に取り入れる場合であっても、カーテン６０を開けると部屋の中が見えてしまい、プライバシー保護の観点で問題があった。
【０００５】
そこで本考案は、部屋の中を見られることなく、外部の光を家屋の中に取り入れることができるカーテンレール又は取付式カーテンレールおよびこれらに用いられるカーテンを提供することを目的とする。
【課題を解決するための手段】
【０００６】
上記目的を達成するために、本考案のカーテンレールは、建物の開口部の上部近傍にほぼ水平に位置するように固定されるレール本体と、前記レール本体に移動自在に嵌装されると共に、カーテンの上部を支持する複数のカーテン支持手段と、を有するカーテンレールであって、前記レール本体は、前記開口部から離間する方向へ曲げられた離間部を有することを特徴とする。
【０００７】
この場合、前記開口部に対する前記離間部の傾斜は、前記離間部のうち前記開口部から最も遠い部分を境界として、いずれか一方の傾斜が他方の傾斜より大きく形成されている方が好ましい。また、ハンガー等を引っ掛けて吊持可能な吊持手段を具備する方が好ましい。
【０００８】
また、本考案のカーテンとカーテンレールの組み合わせは、本考案のカーテンレールに取り付けられるカーテンであって、光を反射する第１の反射材を前記開口部側の面に有することを特徴とする。
【０００９】
また、本考案の別のカーテンとカーテンレールの組み合わせは、本考案のカーテンレールに取り付けられるカーテンであって、光を反射する第２の反射材を前記開口部とは反対側の面に有することを特徴とする。
【００１０】
この場合、前記第１の反射材または第２の反射材は、反射した光が模様を表すように形成されている方が好ましい。
【００１１】
また、本考案の取付式カーテンレールは、建物の開口部分の上部近傍にほぼ水平に位置するように固定されるカーテンレールに固定可能な取付式カーテンレールであって、前記開口部から離間する方向へ曲げられた離間部を有する取付式レール本体と、前記取付式レール本体を前記カーテンレールに固定する固定手段と、前記取付レール本体に移動自在に嵌装されると共に、カーテンの上部を支持する複数のカーテン支持手段と、を具備することを特徴とする。
【００１２】
この場合、前記離間部は、前記取付式レール本体の少なくとも一端側近傍に形成される方が好ましい。また、前記開口部に対する前記離間部の傾斜は、前記離間部のうち前記開口部から最も遠い部分を境界として、いずれか一方の傾斜が他方の傾斜より大きく形成されている方が好ましい。また、ハンガー等を引っ掛けて吊持可能な吊持手段を具備する方が好ましい。
【００１３】
また、本考案のカーテンと取付式カーテンレールの組み合わせは、取付式カーテンレールに取り付けられるカーテンであって、光を反射する第１の反射材を前記開口部側の面に有することを特徴とする。
【００１４】
また、本考案の別のカーテンと取付式カーテンレールの組み合わせは、取付式カーテンレールに取り付けられるカーテンであって、光を反射する第２の反射材を前記開口部とは反対側の面に有することを特徴とする。
【００１５】
この場合、前記第１の反射材または第２の反射材は、反射した光が模様を表すように形成されている方が好ましい。
【考案の効果】
【００１６】
請求項１，２記載の考案によれば、カーテンを離間部の下方まで開けると、カーテンと開口部（窓や出入り口）との間を広げることができるので、光を部屋（家屋）の中に取り込むことができる。また、この際、カーテンは、離間部の下方に位置するので、開口部（窓や出入り口）の外側から見ても、ほとんどカーテンは開いておらず、部屋の中を見ることはできないため、プライバシーの保護を向上することができる。
【００１７】
請求項６，７，８記載の考案によれば、従来のカーテンレールに簡易に取り付けることができると共に、請求項１，２記載の考案と同様、プライバシーの保護を図りつつ、光を部屋の中に取り込むことができる。
【００１８】
請求項３，４，９，１０記載の考案によれば、光を反射する第１の反射材又は第２の反射材を用いるので、効率よく光を部屋（家屋）の中に取り込むことができる。
【００１９】
請求項５，１１記載の考案によれば、第１の反射材または第２の反射材を、反射した光が模様を表すように形成するので、部屋（家屋）の中に取り込む光に装飾的効果を持たせることができる。
【００２０】
請求項１２，１３記載の考案によれば、ハンガー等を引っ掛けて吊持可能な吊持手段を具備するので、ちょっとした洗濯物等を吊しておくのに便利である。
【考案を実施するための最良の形態】
【００２１】
上記目的を達成するために、本考案のカーテンレール１は、図３ないし図５に示すように、建物の開口部５０、例えば窓や出入り口の上部近傍にほぼ水平に位置するように固定されるレール本体２と、レール本体２に移動自在に嵌装されると共に、カーテン６０の上部を支持するカーテン支持手段３と、で主に構成される。
【００２２】
レール本体２は、図３、図４に示すように、家屋や建物の開口部５０（窓や出入り口）から離間する方向へ曲げられた離間部２１が形成される。また、レール本体２は、カーテン６０を支持することのできる強度を有すればどのような材料で形成しても良いが、例えば、アルミニウム等の金属や木材、プラスチック等を用いることができる。
【００２３】
この離間部２１は、カーテンレール１に取り付けるカーテン６０が１枚の場合には、レール本体２の少なくとも一端側近傍に形成される方が好ましい。また、家屋や建物の開口部５０（窓や出入り口）に対する離間部２１の傾斜は、開口部５０（窓や出入り口）から最も離れている部分を境界として、レール本体２の端部に近い側の傾斜が遠い側の傾斜より大きく形成される方が好ましく、例えば、への字状に湾曲して形成される。すなわち、閉められているカーテンを開ける際に、カーテンレール１の空ける側の部分の傾斜が、開口部の面に対して、なるべく垂直方向かそれ以上（換言すると、しの字状）に湾曲している方が良い。これにより、光を取り入れつつ、家屋の外側から内部を隠すことができる。
【００２４】
また、カーテンレール１に取り付けるカーテン６０が２枚の場合には、図５に示すように、レール本体２の中央に形成される方が好ましい。この場合、建物の開口部５０（窓や出入り口）に対する離間部２１の傾斜は、開口部５０（窓や出入り口）から最も離れている部分（以下、最離間部２２と称す）を境界として、いずれか一方を他方に比べて大きく傾斜させるように形成しても良いし、最離間部２２を境界として、くの字のような面対称に形成しても良い。
【００２５】
カーテン支持手段３は、カーテン６０の上部を支持すると共に、レール本体２に移動自在に嵌装できるものであれば、どのような構造でも良い。例えば、図６に示すように、レール本体２の下方に延出する２つの側片３１と、この側片３１の下端部から２つの側片３１同士が対向する側に延出する２つの下片３２とによって、レール本体２の長手方向に開口路を有する溝が形成されている場合には、カーテン支持手段３を、カーテン６０の上部を支持する環状のカーテン支持部３５と、溝内で下片３２の上部を移動自在に回転する回動部３６、例えば車輪とで構成することができる。また、レール本体２が丸棒状のものである場合には、カーテンの上部を支持する環状のカーテン支持部と、丸棒に嵌装可能な環状の嵌装部とで構成すれば良い。また、カーテン支持手段３は、カーテン６０を支持することのできる強度を有すればどのような材料で形成しても良いが、例えば、アルミニウム等の金属や木材、プラスチック等を用いることができる。
【００２６】
また、カーテンレール１に、ハンガー等を引っ掛けて吊持することができる吊持手段を形成しても良い。この場合、例えば、側片３１の下部を更に延出させた垂下片を形成し、この垂下片に１以上の貫通孔（吊持手段）を形成すれば良い。この場合、貫通孔の径の大きさは、ハンガーを引っ掛けることのできる大きさ以上、例えば３mm以上に形成する。
【００２７】
カーテンレール１をこのように構成することにより、図５に示すように、カーテン６０を離間部２１の最離間部２２の下方まで開けると、カーテン６０と開口部５０（窓や出入り口）との間を広げることができるので、光を部屋（家屋）の中に取り込むことができる。また、この際、カーテン６０は、離間部２１の最離間部２２の下方に位置するので、開口部５０（窓や出入り口）の外側から見ても、ほとんどカーテン６０は開いておらず、部屋の中を見ることはできないため、プライバシーの保護を向上することができる。
【００２８】
また、本考案の取付式カーテンレール１１は、建物の開口部５０の上部近傍にほぼ水平に位置するように固定される通常のカーテンレール７０に固定可能な取付式カーテンレールであって、開口部５０から離間する方向へ曲げられた離間部１２１を有する取付式レール本体１２と、取付式レール本体１２をカーテンレール７０に固定する固定手段１４と、取付式レール本体１２に移動自在に嵌装されると共に、カーテン６０の上部を支持する複数のカーテン支持手段と、で主に構成される。
【００２９】
取付式レール本体１２は、図７、図８に示すように、建物の開口部５０（窓や出入り口）から離間する方向へ曲げられた離間部１２１が形成される。また、取付式レール本体１２は、カーテン６０を支持することのできる強度を有すればどのような材料で形成しても良いが、例えば、アルミニウム等の金属や木材、プラスチック等を用いることができる。
【００３０】
この離間部１２１は、取付式カーテンレール１１に取り付けるカーテン６０が１枚の場合には、取付式レール本体１２の少なくとも一端側近傍に形成される方が好ましい。また、建物の開口部５０（窓や出入り口）に対する離間部１２１の傾斜は、開口部５０（窓や出入り口）から最も離れている部分を境界として、取付式レール本体１２の端部に近い側の傾斜が遠い側の傾斜より大きく形成される方が好ましく、例えば、への字状に湾曲して形成される。すなわち、閉められているカーテンを開ける際に、取付式カーテンレール１１の開ける側の部分の傾斜が、開口部の面に対して、なるべく垂直方向かそれ以上（換言すると、しの字状）に湾曲している方が良い。これにより、光を取り入れつつ、家屋の外側から内部を隠すことができる。
【００３１】
また、カーテンレール１に取り付けるカーテン６０が２枚の場合には、レール本体２の中央付近に形成される方が好ましい。この場合、建物の開口部５０（窓や出入り口）に対する離間部１２１の傾斜は、開口部５０（窓や出入り口）から最も離れている部分（以下最離間部１２２と称す）を境界として、いずれか一方を他方に比べて大きく傾斜させるように形成しても良いし、最離間部１２２を境界として、くの字のような面対称に形成しても良い。
【００３２】
固定手段１４は、取付式レール本体１２を通常のカーテンレール７０に固定することができるものであればどのようなものでも良いが、例えば、図７、図８に示すように、取付式レール本体１２の長手方向両端部から延出し、通常のカーテンレール７０を挟持するように形成すれば良い。この場合、図９（ａ）、（ｂ）に示すように、開口部５０（窓や出入り口）に既に取り付けられている通常のカーテンレール７０の上部を覆う上片部１４１と、上片部１４１から垂下しカーテンレール７０を挟持可能な二つの挟持片１４２とで構成される断面コ字状の嵌合部１４３を形成すれば良い。この場合、挟持片１４２は、カーテンレール７０を確実に挟持できるように弾性力を付勢する方が好ましく、更に、挟持片１４２の対向する側へ突出し、カーテンレール７０の下部を係止する係止部１４４を形成する方が好ましい。これにより、取付式カーテンレール１１を従来からある通常のカーテンレール７０に簡単に取り付けることができる。なお、固定手段１４は、取付式レール本体１２の全長に渡って形成するか、あるいは、取付式レール本体１２の複数の箇所に分けて形成すれば良い。更に、固定手段１４は、ねじ等の締結手段によって固定するものであっても勿論良い。
【００３３】
また、取付式カーテンレール１１に、ハンガー等を引っ掛けて吊持することができる吊持手段を形成しても良い。この場合、例えば、挟持片１４２の下部を更に延出させた垂下片１４５を形成し、この垂下片１４５に１以上の貫通孔１４６（吊持手段）を形成すれば良い。この場合、貫通孔１４６の径の大きさは、ハンガーを引っ掛けることのできる大きさ以上、例えば３mm以上に形成する。なお、貫通孔１４６を、取付式カーテンレール１２の側部に形成することも勿論可能である（図７参照）。
【００３４】
カーテン支持手段１３は、カーテン６０の上部を支持すると共に、取付式レール本体１２に移動自在に嵌装できるものであれば、どのような構造でも良く、例えば、図６に示すカーテン支持手段３と同様に形成することができる。
【００３５】
取付式カーテンレール１１をこのように構成することにより、通常のカーテンレール７０が既に取り付けられている場合であっても、簡単に本考案の取付式カーテンレール１１を取り付けることができる。また、カーテン６０を離間部１２１の最離間部１２２の下方まで開けると、カーテン６０と開口部５０（窓や出入り口）との間を広げることができるので、光を部屋（家屋）の中に取り込むことができる。また、この際、カーテン６０は、離間部１２１の最離間部１２２の下方に位置するので、開口部５０（窓や出入り口）の外側から見ても、ほとんどカーテン６０は開いておらず、部屋の中を見ることはできないため、プライバシーの保護を向上することができる。
【００３６】
また、本考案のカーテン６０は、上述した本考案のカーテンレール１又は取付式カーテンレール１１に用いられるカーテンであって、光を反射する反射材をカーテン６０の開口部５０側の面に形成したものである。この場合、少なくとも反射材（第１の反射材）は、カーテンをカーテンレール１又は取付式カーテンレール１１に取り付けた際に、離間部１２１が形成されている側の端部近傍に形成されていれば良い。これにより、カーテン６０を離間部１２１に移動させると、外の光が反射材によって家屋の内部に反射されるので、少しカーテン６０を開けるだけで、多くの光を部屋（家屋）の中に取り込むことができる。
【００３７】
また、カーテンレール１又は取付式カーテンレール１１にカーテン６０を２枚取り付ける場合には、離間部１２１が形成されていない側に取り付けられているカーテン６０に、開口部５０（窓や出入り口）とは反対側の面に光を反射する反射材（第２の反射材）を更に形成する方が好ましい。これにより、反射材（第１の反射材）によって反射された光を反射材（第２の反射材）によって確実に部屋（家屋）の中に取り込むことができる。
【００３８】
また、第１の反射材および第２の反射材の少なくとも一方は、反射した光が模様を表すように形成されている方が好ましい。この場合、反射材の形状によって、反射する光を模様にしたり、あるいは、色付きの反射材を用いて、反射する光に色を付けることにより模様したりすることができる。これにより、部屋（家屋）の中に取り込む光に装飾的効果を持たせることができる。
【図面の簡単な説明】
【００３９】
【図１】従来のカーテンレールの取付態様を示す概略斜視図である。
【図２】従来のカーテンレールの使用態様を示す概略斜視図である。
【図３】本考案のカーテンレールの取付態様を示す概略斜視図である。
【図４】本考案のカーテンレールを示す概略斜視図である。
【図５】本考案のカーテンレールの使用態様を示す概略斜視図である。
【図６】本考案のカーテンレールを示す概略断面図である。
【図７】本考案の取付式カーテンレールを示す概略斜視図である。
【図８】本考案の取付式カーテンレールの取付態様を示す概略斜視図である。
【図９】本考案のカーテンレールを示す概略断面図である。
【符号の説明】
【００４０】
１  カーテンレール
２  レール本体
３  カーテン支持手段
１１  取付式カーテンレール
１２  取付式レール本体
１３  カーテン支持手段
１４  固定手段
２１  離間部
５０  開口部
６０  カーテン
７０  カーテンレール
１２１  離間部
【図１】
0003144865.tif 000003
【図２】
0003144865.tif 000004
【図３】
0003144865.tif 000005
【図４】
0003144865.tif 000006
【図５】
0003144865.tif 000007
【図６】
0003144865.tif 000008
【図７】
0003144865.tif 000009
【図８】
0003144865.tif 000010
【図９】
0003144865.tif 000011